(57)【要約】【課題】  排水溝に流入した塵埃を確実に回収できると共に、回収した塵埃を多量に小さな開口部から取り出すことが可能な雨水桝内の落葉ゴミ等収束取出装置雨水等浸透桝を提供せんとする。【解決手段】  桝本体３の胴回りより上部開口６が小さい雨水桝１内に、この桝本体３の雨水等流入口４より低位置の内周壁３Ａ胴回りに当接すると共に、可撓性材で成形され変形自在であるリング枠１５を上端に有し、上部はテーパーとなった側周面を有する擂鉢状、下部は前記の上部開口を通過できる筒状で有底である塵埃収容ネット体１０を、塵埃収容ネット体１０の底面１２を雨水枡１の底面に載置させ、且つ、筒状下部１４を弛ませた状態で吊設したことを特徴とする。【選択図】  図１
2007002443.tif 000002
【特許請求の範囲】
【請求項１】
桝本体の胴回りより上部開口が小さい雨水桝内に、この桝本体の雨水等流入口より低位置の内周壁胴回りに当接すると共に、可撓性材で成形され変形自在であるリング枠を上端に有し、上部はテーパーとなった側周面を有する擂鉢状、下部は前記の上部開口を通過できる筒状で、有底である塵埃収容ネット体を、塵埃収容ネット体の底面を雨水桝の底面に載接させ、且つ、筒状下部を弛ませた状態で吊設したことを特徴とする雨水桝内の落葉ゴミ等収束取出装置。
【請求項２】
リング枠を係支する受け片を、桝本体の雨水等流入口より低位置の内周壁に設けたことを特徴とする請求項1記載の雨水桝内の落葉ゴミ等収束取出装置。
【請求項３】
透水可能な底を有する有底枠と、下端をこの有底枠に起倒可能に軸支した複数本の支承腕より成る受体であって、有底枠に塵埃収納ネット体の筒状下部を収容し、外側に倒れて上端が桝本体の内壁に当突した支承腕が擂鉢状上部を支承することを特徴とする請求項1又は２記載の雨水桝内の落葉ゴミ等収束取出装置。
【請求項４】
リング枠が桝本体の内壁に当突した支承腕に係支していることを特徴とする請求項３記載の雨水桝内の落葉ゴミ等収束取出装置。
【請求項５】
有低枠が桝本体の上部開口から出し入れ可能の大きさであることを特徴とする請求項３又は４記載の雨水桝内の落葉ゴミ等収束取出装置。
【発明の詳細な説明】
【技術分野】
【０００１】
本発明は雨水桝内の落葉ゴミ等収束取出装置に関するものであり、詳しくは、桝本体の胴回りより上部開口が小さい構造の雨水等浸透桝において、雨水桝に溜まる木の葉等の塵埃を回収取り出しできる装置に関する。
【背景技術】
【０００２】
路上や屋根に落ちた雨水を側溝や排水溝へ導き川或いは処理場に送るような処理が従来の方法であった。
しかし、近年は、地盤沈下の防止や地下水を確保し水の有効利用を図るため、水を出来るだけ地中へ戻すような排水方法へと変化しているのである。
そこで、排水溝の所々に水浸透用の桝を設置し、この枡の無底部から溜まった水を地中へ浸透させて戻す構成が考えられている。
【０００３】
上記目的で設置する透水桝は水を溜めて地中へ浸み込ませるものであるから、水と共に排水溝へ入り込んだ塵埃も流れ込み、水は無くなっても塵埃はそのまま透水桝内に溜まってしまい、透水面を塞いで透水作用の障害となるため取り除く必要がある。
【０００４】
塵埃の多くは路上の水が流入する流入口からであり、該流入口が清掃用開口と兼用となることも多く、特開平０７−２９２７５９号や特開２００４−２８５６５１号では、開口部（流入孔を穿設した蓋を有する）の真下に金網籠を吊り下げて水と一緒に流入する塵埃を収容し水は透過させるものとしている。
また、特開平０８−２９１５５２号は浸透桝の浸透部にゴミが詰まらないように工夫したものが開示されている。
【特許文献１】特開平０７−２９２７５９号
【特許文献２】特開２００４−２８５６５１号
【特許文献３】特開平０８−２９１５５２号
【発明の開示】
【発明が解決しようとする課題】
【０００５】
上記従来の金網籠を桝の開口部に吊り下げるものは、桝以外から排水溝へ流入した塵埃を回収することはできないし、また、桝自体に工夫を凝らしたものも塵埃は事前に除去されないため、時機を見て桝内を清掃して塵埃の回収が必要となる。
一方、桝内の容量を大きくすると共に、点検・清掃用の上部開口部は小さくして蓋の安全性を確保する要請があり、このような桝では回収した多量の塵埃が効率良く開口部から通過できるようにするための工夫が求められているのである。
【０００６】
本発明は、排水溝に流入する塵埃を確実に回収できると共に、回収した塵埃を一時に小さな開口部から取り出すことが可能な雨水桝内の落葉ゴミ等収束取出装置を提供せんとするものである。
【課題を解決するための手段】
【０００７】
本発明の請求項１の雨水桝内の落葉ゴミ等収束取出装置は、桝本体の胴回りより上部開口が小さい雨水桝内に、この桝本体の雨水等流入口より低位置の内周壁胴回りに当接すると共に、可撓性材で成形され変形自在であるリング枠を上端に有し、上部はテーパーとなった側周面を有する擂鉢状、下部は上部開口を通過できる筒状の有底である塵埃収容ネット体を、塵埃収容ネット体の底面を雨水桝の底面に載置させ、且つ、筒状下部を弛ませた状態で吊設したことを特徴とするものである。
【０００８】
桝本体の雨水等流入口より低位置の内周壁にリング枠が当接し隙間なく設けられるため、流入口から入る雨水や塵埃は必ず塵埃収容ネット体内に入り、水はネット間隙から透過するけれど、塵埃は透過せずに塵埃収容ネット体内に残留する。
【０００９】
そして、塵埃収容ネット体の筒状下部は弛んで桝本体の底面に載置しているものであるから、収容した塵埃は擂鉢状上部に積層していくことになるが、桝本体から取り出すために持ち上げれば、筒状下部が伸びて回収した塵埃が筒状下部の方へ降下して擂鉢状上部の膨らみが細くなると共に、可撓性材で成形され変形自在であるリング枠は重さで楕円形や湾曲して変形するため、短径と成った部位等を利用して上部開口からリング枠および塵埃収容ネット体を、塵埃が収容された状態で取り出し回収できるのである。
【００１０】
また、請求項２の発明は、リング枠を係支する受け片を、桝本体の雨水等流入口より低位置の内周壁に設けたことを特徴とするものである。
塵埃収容ネット体の桝本体内に、塵埃収容ネット体の底面を雨水桝の底面に載置させ、且つ、筒状下部を弛ませた状態で調整して吊設しているものであるが、リング枠を係支する受け片を、桝本体の雨水等流入口より低位置の内周壁に設けたため、塵埃収容ネット体の桝本体内での位置決めと、この受け片で塵埃収容ネット体を支承する作用も奏する。
【００１１】
請求項３の発明は、透水可能な底を有する有底枠と、下端をこの有底枠に起倒可能に軸支した複数本の支承腕より成る受体であって、有底枠に塵埃収納ネット体の筒状下部を収容し、外側に倒れて上端が桝本体の内壁に当突した支承腕が擂鉢状上部を支承することを特徴とするものである。
【００１２】
塵埃収納ネットの筒状下部および擂鉢状上部を有底枠と支承腕で支持するものであり、回収した塵埃の重みで塵埃収納ネットが破損等するのを保護する作用を奏し、底は透水可能とし、側面は複数本の支承腕で支持するにすぎず、水の排出に支承とならない。
【００１３】
そして、請求項４の発明は、リング枠が桝本体の内壁に当突した支承腕に係支していることを特徴とするものであり、支承腕は外側に倒れて上端が桝本体の内壁に当突した状態であるから、内周壁胴回りに当接するリング枠を係止できるものである。
【００１４】
請求項５の発明は、有底枠が桝本体の上部開口から出し入れ可能の大きさであることを特徴とするものであり、支承腕を内側へ倒せば受体を上部開口から出し入れできる。
【発明の効果】
【００１５】
請求項１の発明は、桝本体の雨水等流入口より低位置の内周壁にリング枠が当接し隙間なく設けられるため、流入口か入る雨水や塵埃は必ず塵埃収容ネット体内に入り、水はネット間隙から透過し、塵埃は透過せずに塵埃収容ネット体内に漏れなく回収できる効果を有するものである。
【００１６】
そして、収容した塵埃は擂鉢状上部に積層していくことになるが、桝本体から取り出すために持ち上げれば、筒状下部が伸びて回収した塵埃が筒状下部の方へ降下して擂鉢状上部の膨らみが細くなると共に、筒状下部は上部開口の出入りは可能であり、変形自在であるリング枠は重さで楕円形や湾曲して変形するため、短径と成った部位等を利用して上部開口からリング枠および塵埃収容ネット体を、塵埃が収容された状態で取り出すことが出来る効果を有するのである。
リング枠が重さによって適当な変形を得られない場合は、強制的に変形させて上部開口から抜き出すことも出来るのである。
【００１７】
請求項２の発明は、リング枠を係支する受け片を、桝本体の雨水等流入口より低位置の内周壁に設けたため、塵埃収容ネット体の桝本体内での位置決めが容易となる効果があると共に、この受け片で塵埃収容ネット体を支承する効果も得られる。
【００１８】
請求項３の発明は、塵埃収納ネットの筒状下部および擂鉢状上部を有底枠と支承腕で支持できる効果有し、回収した塵埃の重みで塵埃収納ネットが変形や破損等するのを防止し、保護する効果も奏し、また、塵埃収納ネットを通過した水を、透水可能な底や支承腕の間から排水するものであるから支障とならない。
【００１９】
請求項４の発明は、外側に倒れて上端が桝本体の内壁に当突した状態である支承腕と、内周壁胴回りに当接する状態のリング枠が上下の位置関係となることを利用し、リング枠を桝本体の内壁に当突した支承腕に係支させて、両者の関係をより密接とし支持作用も得られる効果を発揮するものである。
【００２０】
請求項５の発明は、有底枠が桝本体の上部開口から出し入れ可能の大きさとするものであり、支承腕を内側へ傾倒させれば、受体を上部開口から出し入れできる効果を有し、設置する時や補修等で桝外へ出す時に至便となる。
【発明を実施するための最良の形態】
【００２１】
本発明の実施の形態を図面に基づいて説明する。
図１は本発明の一実施の形態を雨水等浸透桝で例示した断面図である。
雨水等浸透桝１は台枠２、桝本体３及び蓋５で構成し、桝本体３の中位より上方位置に雨水等流入口４，４を有し、蓋５を嵌合する上部開口６は桝本体３の胴部に比べ絞られて（図面では偏心して）小さな開口６となっている。
台枠２はドーナッツ状で、砕石７上に載置し、空間部９に敷いた浸透性マット８を通過して水が地中へ浸透していくように構成されている。
【００２２】
雨水等浸透桝１内には塵埃収納ネット体１０が装置してある。
図２は塵埃収納ネット体１０の一実施の形態を示す斜視図であり、上端が開口１１し、下端には底１２がネットで形成され、全体は基本的に円筒形状で、略上半分は擂鉢状に開き、略下半分は円筒状となり、上端開口１１は桝本体３の内壁３Ａと略同一径で、筒状下部１４は桝本体３の上部開口６より短径としてある。
ネットの目は塵埃を通さずに捕捉できる隙間にとどめる必要があり、５ミリメートル以下の目とするのが適当であり、素材は後述のように筒状下部１４が蛇腹状に弛むことが可能な合成繊維を適宜選択して形成するものとする。
【００２３】
また、塵埃収納ネット体１０の上端縁にはリング枠１５が当着してあり、リング枠１５は桝本体３の内周壁３Ａに当接する径を有すると共に、可撓性で変形自在の材料で形成され、外圧が加わると円形から楕円形に変形したり、直径線で二面に折れて湾曲したり捻じれたりして自在に変形し、外圧が取り除かれると原状に戻る性質をもたせてある。
可撓性材料としては、空気入りチューブ、ゴム製・塩化ビニール製のホース（コイル入りも含む）等のたわみホースやワイヤーロープ等が挙げられる。
【００２４】
塵埃収納ネット体１０は、筒状下部１４が蛇腹状に弛んで雨水等浸透桝１の底面を形成する浸透性マット８に接置し、雨水等流入口４，４より低い位置に擂鉢状上部１３が起立した状態で雨水等浸透桝１内に吊設されている。
吊設はリング枠１５に取り付けた複数本の紐体１６、１６・・・により吊り、調節した個々の紐体１６を、又は纏めて雨水等浸透桝１の上部開口６の近傍に設けた金具２２に結着して留めてある。
【００２５】
また、図３はリング枠１５を係支する受け片１７、１７・・・が、桝本体３の雨水等流入口４、４より低位置の内周壁３Ａに突設したものであり、リング枠１５を確実に支承できるものとなる。
【００２６】
図４は塵埃収納ネット体１０が受体１８に支持されて、雨水等浸透桝１内に装置したものである。
受体１８は底部２０を格子で構成した有底枠１９と、下端をこの有底枠１９に内外方向に起倒可能に軸支２３した複数本（図面では８本）の支承腕２１、２１・・より成り、有底枠１９に塵埃収納ネット体１０の筒状下部１４を収容し、外側に倒れて上端が桝本体３の内周壁３Ａに当突した支承腕２１で擂鉢状上部１３を支承するものである。
塵埃収納ネット体１０から抜け出た雨水等は、底部２０および支承腕２１に邪魔されることなく、空間部９に敷いた浸透性マット８を通過して地中へ浸透していく。
【００２７】
受体１８を、雨水等浸透桝１の底面を形成する浸透性マット８に載置し、支承腕２１を外方へ倒せば、桝本体３の内周壁３Ａに当り係止して安定し、支承腕２１と擂鉢状上部１３を略同一の長さと略一致させれば、支承腕２１の上端部がリング枠１５を支承する格好と成って、前記受け片１７の代わりとなるものである。
有底枠１９は雨水等浸透桝１の上部開口６を通過できる径としてあり、支承腕２１を内方へ傾ければ、受体１８の設置や補修時等における出入りが可能である。
【００２８】
この様に、桝本体３の雨水等流入口４より低位置の内周壁３Ａにリング枠１５が当接して隙間なく設けられるため、流入口４から入る雨水や塵埃は必ず塵埃収容ネット体１０内に入り、水はネット間隙から透過するけれど、塵埃は透過せずに塵埃収容ネット体１０内に残留する。
【００２９】
そして、収容した塵埃は擂鉢状上部１３に積層していくことになるが、桝本体３から取り出すために持ち上げれば、筒状下部１４が伸びて回収した塵埃が筒状下部１４の方へ降下し、擂鉢状上部１３の膨らみが細くなると共に、可撓性材で成形され変形自在であるリング枠１５は重さで楕円形や湾曲して変形し、短径と成った部位等を利用して上部開口６からリング枠１５および塵埃収容ネット体１０を、塵埃が収容したままで取り出し回収できるのである。
筒状下部１４は上部開口６を出入りできる径を有し問題はない。
また、リング枠１５が重さによって適当な変形を得られない場合は、強制的に変形させて上部開口６から抜き出すことができる。
【図面の簡単な説明】
【００３０】
【図１】本発明の一実施の形態を示す断面図である。
【図２】本発明の塵埃収容ネット体の一実施の形態を示す斜視図である。
【図３】本発明の他の実施の形態を示す要部断面図である。
【図４】本発明の他の実施の形態を示す要部断面図である。
【図５】本発明の他の実施の形態を示す要部平面図である。
【図６】本発明の使用の状態を示す断面図である。
【符号の説明】
【００３１】
１    雨水等浸透桝
２    台枠
３    桝本体
３Ａ  内周壁
４    雨水等流入口
５    蓋
６    上部開口
７    砕石
８    浸透性マット
９    空間部
１０    塵埃収容ネット体
１１    上端開口
１２    底
１３    擂鉢状上部
１４    筒状下部
１５    リング枠
１６    紐体
１７    受け片
１８    受体
１９    有底枠
２０    底部
２１    支承腕
２２    金具
２３    軸支
【図１】
2007002443.tif 000003
【図２】
2007002443.tif 000004
【図３】
2007002443.tif 000005
【図４】
2007002443.tif 000006
【図５】
2007002443.tif 000007
【図６】
2007002443.tif 000008